【手続補正書】
【提出日】平成27年12月18日(2015.12.18)
【手続補正１】
【補正対象書類名】特許請求の範囲
【補正対象項目名】全文
【補正方法】変更
【補正の内容】
【特許請求の範囲】
【請求項１】
遊技球を検出可能な検出手段と、開閉部材を有する入賞手段と、所定の図柄を変動表示可能な図柄表示手段とが設けられているとともに、遊技に係る動作を制御する制御手段が内蔵されており、
前記制御手段が、前記検出手段での遊技球の検出に応じて、第一の乱数と第二の乱数とから夫々数値を取得するとともに、前記第二の乱数からの取得数値に応じた態様で前記図柄表示手段に表示された図柄を変動させた後、前記第一の乱数からの取得数値にもとづいて前記図柄表示手段に図柄を確定表示させ、さらに、前記第一の乱数からの取得数値が所定の値であると、前記図柄表示手段における図柄の確定表示後に前記入賞手段を所定の態様で作動させる遊技機であって、
前記図柄の変動表示中に前記検出手段で遊技球を検出すると、その検出に係る前記第一の乱数及び前記第二の乱数からの取得数値を変動保留として所定の個数だけ記憶する変動保留記憶手段が設けられており、
前記制御手段は、図柄の確定表示に伴い前記変動保留記憶手段に変動保留が記憶されていると、所定の順序にしたがって変動保留を消化するとともに、変動保留として前記変動保留記憶手段に記憶される前記第一の乱数からの取得数値が前記所定の値であると、当該変動保留に係る図柄の変動表示よりも前に、当該変動保留に係る前記第一の乱数からの取得数値に関連した乱数取得関連情報を外部へ出力することを特徴とする遊技機。
【請求項２】
遊技球を検出可能な検出手段と、開閉部材を有する入賞手段と、所定の図柄を変動表示可能な図柄表示手段とが設けられているとともに、遊技に係る動作を制御する制御手段が内蔵されており、
前記制御手段が、前記検出手段での遊技球の検出に応じて、第一の乱数と第二の乱数とから夫々数値を取得するとともに、前記第二の乱数からの取得数値に応じた態様で前記図柄表示手段に表示された図柄を変動させた後、前記第一の乱数からの取得数値にもとづいて前記図柄表示手段に図柄を確定表示させ、さらに、前記第一の乱数からの取得数値が所定の値であると、前記図柄表示手段における図柄の確定表示後に前記入賞手段を所定の態様で作動させる遊技機であって、
前記図柄の変動表示中に前記検出手段で遊技球を検出すると、その検出に係る前記第一の乱数及び前記第二の乱数からの取得数値を変動保留として所定の個数だけ記憶する変動保留記憶手段が設けられており、
前記制御手段は、図柄の確定表示に伴い前記変動保留記憶手段に変動保留が記憶されていると、所定の順序にしたがって変動保留を消化するとともに、変動保留として前記変動保留記憶手段に記憶される前記第二の乱数からの取得数値が特定の値であると、当該変動保留に係る図柄の変動表示よりも前に、当該変動保留に係る前記第二の乱数からの取得数値に関連した乱数取得関連情報を外部へ出力することを特徴とする遊技機。
【手続補正２】
【補正対象書類名】明細書
【補正対象項目名】０００６
【補正方法】変更
【補正の内容】
【０００６】
かかる本発明のうち、請求項１に記載された発明は、遊技球を検出可能な検出手段と、開閉部材を有する入賞手段と、所定の図柄を変動表示可能な図柄表示手段とが設けられているとともに、遊技に係る動作を制御する制御手段が内蔵されており、前記制御手段が、前記検出手段での遊技球の検出に応じて、第一の乱数と第二の乱数とから夫々数値を取得するとともに、前記第二の乱数からの取得数値に応じた態様で前記図柄表示手段に表示された図柄を変動させた後、前記第一の乱数からの取得数値にもとづいて前記図柄表示手段に図柄を確定表示させ、さらに、前記第一の乱数からの取得数値が所定の値であると、前記図柄表示手段における図柄の確定表示後に前記入賞手段を所定の態様で作動させる遊技機であって、前記図柄の変動表示中に前記検出手段で遊技球を検出すると、その検出に係る前記第一の乱数及び前記第二の乱数からの取得数値を変動保留として所定の個数だけ記憶する変動保留記憶手段が設けられており、前記制御手段は、図柄の確定表示に伴い前記変動保留記憶手段に変動保留が記憶されていると、所定の順序にしたがって変動保留を消化するとともに、変動保留として前記変動保留記憶手段に記憶される前記第一の乱数からの取得数値が前記所定の値であると、当該変動保留に係る図柄の変動表示よりも前に、当該変動保留に係る前記第一の乱数からの取得数値に関連した乱数取得関連情報を外部へ出力することを特徴とする。
【手続補正３】
【補正対象書類名】明細書
【補正対象項目名】０００７
【補正方法】変更
【補正の内容】
【０００７】
請求項２に記載された発明は、遊技球を検出可能な検出手段と、開閉部材を有する入賞手段と、所定の図柄を変動表示可能な図柄表示手段とが設けられているとともに、遊技に係る動作を制御する制御手段が内蔵されており、前記制御手段が、前記検出手段での遊技球の検出に応じて、第一の乱数と第二の乱数とから夫々数値を取得するとともに、前記第二の乱数からの取得数値に応じた態様で前記図柄表示手段に表示された図柄を変動させた後、前記第一の乱数からの取得数値にもとづいて前記図柄表示手段に図柄を確定表示させ、さらに、前記第一の乱数からの取得数値が所定の値であると、前記図柄表示手段における図柄の確定表示後に前記入賞手段を所定の態様で作動させる遊技機であって、前記図柄の変動表示中に前記検出手段で遊技球を検出すると、その検出に係る前記第一の乱数及び前記第二の乱数からの取得数値を変動保留として所定の個数だけ記憶する変動保留記憶手段が設けられており、前記制御手段は、図柄の確定表示に伴い前記変動保留記憶手段に変動保留が記憶されていると、所定の順序にしたがって変動保留を消化するとともに、変動保留として前記変動保留記憶手段に記憶される前記第二の乱数からの取得数値が特定の値であると、当該変動保留に係る図柄の変動表示よりも前に、当該変動保留に係る前記第二の乱数からの取得数値に関連した乱数取得関連情報を外部へ出力することを特徴とする。
【手続補正４】
【補正対象書類名】明細書
【補正対象項目名】０００８
【補正方法】変更
【補正の内容】
【０００８】
請求項１に記載された遊技機によれば、変動保留として変動保留記憶手段に記憶される第一の乱数からの取得数値が所定の値であると、当該変動保留に係る図柄の変動表示よりも前に、当該変動保留に係る第一の乱数からの取得数値に関連した乱数取得関連情報が外部へ出力されるようになっている。そのため、その乱数取得関連情報を島設備に入力させて、その情報を島設備に設置されたすべての遊技機に直ちに出力するように制御することによって、それらの遊技機において遊技中の全ての遊技者に、記憶されている変動保留の中に第一の乱数からの取得数値が所定の値であるものがある（たとえば大当たり判定の結果が「大当たり」である変動保留が存在する）かも知れない、との大きな期待感を長期間に亘って抱かせることが可能となる。したがって、請求項１に記載された遊技機を島設備に複数台設置することによって、遊技機の趣向性を向上させることができ、設置されたすべての遊技機において遊技する遊技者の遊技意欲を増進させることが可能となる。
【手続補正５】
【補正対象書類名】明細書
【補正対象項目名】０００９
【補正方法】変更
【補正の内容】
【０００９】
請求項２に記載された遊技機によれば、変動保留として変動保留記憶手段に記憶される第二の乱数からの取得数値が特定の値であると、当該変動保留に係る図柄の変動表示よりも前に、当該変動保留に係る第二の乱数からの取得数値に関連した乱数取得関連情報が外部へ出力されるようになっている。そのため、その乱数取得関連情報を島設備に入力させて、その情報を島設備に設置されたすべての遊技機に直ちに出力するように制御することによって、それらの遊技機において遊技中の全ての遊技者に、記憶されている変動保留の中に第二の乱数からの取得数値が特定の値であるものがある（たとえば変動時間の長い変動態様、言い換えるなら大当たり判定の結果が「大当たり」である場合に選択されやすい変動態様である変動保留が存在する）かも知れない、との大きな期待感を長期間に亘って抱かせることが可能となる。したがって、請求項２に記載された遊技機を島設備に複数台設置することによって、遊技機の趣向性を向上させることができ、設置されたすべての遊技機において遊技する遊技者の遊技意欲を増進させることが可能となる。